(57)【要約】【課題】ユーザが仮想環境において仮想照明効果を直接又は間接的に操作することを可能にし、操作された照明効果を生成可能な生成可能照明器具に対応する１つ以上の照明器具の仮想表現をユーザに提供する、仮想環境における照明効果の操作を介して照明器具の構成設定を可能にするコンピュータ利用方法を提供する。【解決手段】方法は、仮想照明器具及び仮想照明効果を含む仮想環境を提供するステップを有する。仮想照明器具は、生成可能照明器具を示し、仮想照明効果は、仮想照明器具によって生成され、生成可能照明器具によって生成される生成可能光出力を示す。【選択図】図７
2020080316.tif 000002
【特許請求の範囲】
【請求項１】
仮想環境における照明効果の操作を介して照明器具の構成設定を可能にするコンピュータ利用方法であって、前記方法は、
仮想照明器具及び仮想照明効果を含む仮想環境を提供するステップであって、前記仮想照明器具は生成可能照明器具を示し、前記仮想照明効果は前記仮想照明器具によって生成され、前記生成可能照明器具によって生成される生成可能光出力を示す、ステップと、
ユーザが前記仮想環境において１つ以上のパラメータを操作して第２の仮想照明効果を作成することを可能にするステップと、
前記パラメータの操作に応じて第２の仮想照明器具を提供するステップであって、前記第２の仮想照明器具は第２の生成可能照明器具を示し、前記第２の仮想照明効果は、前記第２の生成可能照明器具によっては達成可能であるが、前記生成可能照明器具によっては達成できない第２の生成可能光出力を示す、ステップと
を含む、方法。
【請求項２】
前記仮想環境は環境物体を含む、請求項１に記載の方法。
【請求項３】
前記仮想照明効果は前記環境物体に投射される、請求項２に記載の方法。
【請求項４】
ユーザが前記仮想環境において前記環境物体に対する前記仮想照明器具の位置を操作し、前記環境物体上の前記仮想照明効果の前記パラメータを操作することを可能にするステップを更に含む、請求項２に記載の方法。
【請求項５】
ユーザが前記パラメータを操作することを可能にする前記ステップは、前記仮想照明効果に関連付けられたマークを選択及びドラッグすることによって前記仮想照明効果の寸法を直接操作することを可能にするステップを含む、請求項１に記載の方法。
【請求項６】
ユーザが前記パラメータを操作することを可能にする前記ステップは、ユーザが前記仮想照明効果の前記パラメータを入力するステップを含む、請求項１に記載の方法。
【請求項７】
前記パラメータは、前記仮想照明効果のフットプリントの大きさ、フットプリントの形状、強度、及び色のうちの少なくとも１つを含む、請求項１に記載の方法。
【請求項８】
前記ユーザが前記第２の生成可能照明器具を選択した後、前記第２の生成可能照明器具を発注するステップを更に含む、請求項１に記載の方法。
【請求項９】
仮想環境における照明効果の操作を介して照明器具の構成設定を可能にするコンピュータ利用方法であって、前記方法は、
仮想照明器具及び仮想照明効果を含む仮想環境を提供するステップであって、前記仮想照明器具は生成可能照明器具を示し、前記仮想照明効果は前記仮想照明器具によって生成され、前記生成可能照明器具によって達成可能な生成可能光出力を示す、ステップと、
前記仮想照明効果の少なくとも１つのパラメータを変更する仮想照明効果操作入力をユーザから受け取るステップと、
前記仮想照明効果操作入力に基づき第２の照明効果を決定するステップと、
前記第２の照明効果を生成可能な第２の生成可能照明器具を示す第２の仮想照明器具を特定するステップと、
前記第２の仮想照明器具を前記ユーザに提供するステップと
を含む、方法。
【請求項１０】
前記第２の仮想照明器具を前記仮想環境において提供するステップを更に含む、請求項９に記載の方法。
【請求項１１】
前記仮想環境において前記第２の照明効果を示す第２の仮想照明効果を提供するステップを更に含み、前記第２の仮想照明効果は、前記仮想環境において前記第２の仮想照明器具によって生成される、請求項１０に記載の方法。
【請求項１２】
前記第２の照明効果は、前記生成可能照明器具によっては達成できない、請求項９に記載の方法。
【請求項１３】
前記仮想照明効果操作入力は、ユーザが前記仮想環境において前記仮想照明器具の位置を操作することによって生成される、請求項９に記載の方法。
【請求項１４】
前記仮想照明効果操作入力は、ユーザが前記仮想照明効果の寸法を直接操作することによって生成される、請求項９に記載の方法。
【請求項１５】
前記仮想照明効果操作入力は、ユーザが前記仮想照明効果の前記パラメータを入力することによって生成される、請求項９に記載の方法。
【請求項１６】
前記仮想環境において環境物体を提供するステップを更に含む、請求項９に記載の方法。
【請求項１７】
前記仮想照明効果は前記環境物体に投射される、請求項１６に記載の方法。
【請求項１８】
前記ユーザが前記第２の生成可能照明器具を選択した後、前記第２の生成可能照明器具を発注するステップを更に含む、請求項９に記載の方法。
【請求項１９】
仮想カタログにおいて照明器具を選択することを可能にするコンピュータ利用方法であって、前記方法は、
照明器具ファミリ選択を受け取るステップと、
前記照明器具ファミリ選択に対応する仮想照明効果を提供するステップと、
変更された仮想照明効果を作成するために、前記仮想照明効果の少なくとも１つのパラメータを変更する仮想照明効果操作入力をユーザから受け取るステップと、
それぞれが変更された前記仮想照明効果を生成可能な生成可能照明器具を示す複数の選択された照明器具の仮想表現を提供するステップと
を含む、方法。
【請求項２０】
前記仮想照明効果操作入力は、ユーザが前記仮想照明効果を選択及びドラッグすることによって前記仮想照明効果の寸法を操作することにより生成される、請求項１９に記載の方法。
【発明の詳細な説明】
【技術分野】
【０００１】
［０００１］本発明は、一般的には、仮想環境における照明器具の構成設定を対象とする。より具体的には、本明細書が開示する多様な発明的方法及び装置は、仮想環境における仮想照明効果の操作を介する照明器具の構成設定に関する。
【背景技術】
【０００２】
［０００２］デジタル照明技術、すなわち発光ダイオード（ＬＥＤ）等の半導体光源に基づく照明は、従来の蛍光灯、ＨＩＤ、及び白熱灯に対する実行可能な代替策を提供する。ＬＥＤの機能上の利点及び利益は、高エネルギー変換効率及び高光学効率、耐久性、より安価な運転費、並びにその他多くのものを含む。ＬＥＤ技術における最近の進歩は、多くのアプリケーションで多岐にわたる照明効果を使用可能にする効率的且つロバストなフルスペクトル照明源をもたらした。これらの光源を具体化する照明器具の一部は、様々な色、例えば赤色、緑色、青色を作り出すことができる１つ又は複数のＬＥＤ、並びに様々な色及び色が変化する照明効果を引き起こすためにＬＥＤの出力を独立に制御するためのプロセッサを含む照明モジュールを特徴とする。
【０００３】
［０００３］仮想照明器具カタログは通常、ＬＥＤベース照明器具等の照明器具のオファーを閲覧するための手段として使用される。このようなカタログは、通常、照明器具ファミリに基づき体系づけられる。ユーザは照明器具ファミリを選択し、そのファミリ内の照明器具カテゴリを閲覧することができる。照明器具のカテゴリごとに、そのカテゴリ内の照明器具の１つ以上の写真又は記述が提示される。照明器具の写真又は記述を選択することにより、ユーザは照明器具に関する更なる情報を得ることができる。
【０００４】
［０００４］既存の照明器具カタログはユーザが既存の照明器具デザインを発見することを可能にするが、１つ以上の欠点を有し得る。例えば、照明器具カタログは、ユーザが照明効果を仮想的に操作することによって１つ以上の適切な照明器具を特定することを可能にし得ない可能性がある。また、例えば、照明器具カタログは所定の照明器具のセットに限られ、ユーザがユニークな照明器具を選択できない可能性がある。既存の照明器具カタログは、更なる及び／又は他の欠点を１つ以上有する可能性がある。
【０００５】
［０００５］したがって、当該分野には、既存のアプローチの１つ以上の欠点を任意選択的に克服する照明器具の構成設定に関する方法及び装置を提供するニーズが存在する。
【発明の概要】
【発明が解決しようとする課題】
【０００６】
［０００６］本開示は、仮想環境において照明器具を構成設定するための発明的方法及び装置を対象とする。方法及び装置は、ユーザが仮想環境において仮想照明効果を直接又は間接的に操作することを可能にし、操作された照明効果を生成可能な生成可能照明器具に対応する１つ以上の照明器具の仮想表現をユーザに提示し得る。
【課題を解決するための手段】
【０００７】
［０００７］一般的に、一側面において、仮想環境における照明効果の操作を介して照明器具の構成設定を可能にするコンピュータ利用方法が提供され、方法は、仮想照明器具及び仮想照明効果を含む仮想環境を提供するステップであって、仮想照明器具は生成可能照明器具を示し、仮想照明効果は仮想照明器具によって生成され、生成可能照明器具によって生成される生成可能光出力を示す、ステップと、ユーザが仮想環境において１つ以上のパラメータを操作して第２の仮想照明効果を作成することを可能にするステップと、パラメータの操作に応じて第２の仮想照明器具を提供するステップであって、第２の仮想照明器具は第２の生成可能照明器具を示し、第２の仮想照明効果は、第２の生成可能照明器具によっては達成可能であるが、生成可能照明器具によっては達成できない第２の生成可能光出力を示す、ステップとを含む。
【０００８】
［０００８］一部の実施形態では、仮想環境は環境物体を含む。これらの実施形態の一部のバージョンでは、仮想照明効果は環境物体に投射される。これらの実施形態の一部のバージョンでは、方法は、ユーザが仮想環境において環境物体に対する仮想照明器具の位置を操作し、環境物体上の仮想照明効果のパラメータを操作することを可能にするステップを更に含む。
【０００９】
［０００９］一部の実施形態では、ユーザがパラメータを操作することを可能にするステップは、仮想照明効果に関連付けられたマークを選択及びドラッグすることによって仮想照明効果の寸法を直接操作することを可能にするステップを含む。
【００１０】
［００１０］一部の実施形態では、ユーザがパラメータを操作することを可能にするステップは、ユーザが仮想照明効果のパラメータを入力するステップを含む。
【００１１】
［００１１］一部の実施形態では、パラメータは、仮想照明効果のフットプリントの大きさ、フットプリントの形状、強度、及び色のうちの少なくとも１つを含む。
【００１２】
［００１２］一部の実施形態では、方法は、ユーザが第２の生成可能照明器具を選択した後、第２の生成可能照明器具を発注するステップを更に含む。
【００１３】
［００１３］一般的に、他の側面では、仮想環境における照明効果の操作を介して照明器具の構成設定を可能にするコンピュータ利用方法が提供され、方法は、仮想照明器具及び仮想照明効果を含む仮想環境を提供するステップであって、仮想照明器具は生成可能照明器具を示し、仮想照明効果は仮想照明器具によって生成され、生成可能照明器具によって達成可能な生成可能光出力を示す、ステップと、仮想照明効果の少なくとも１つのパラメータを変更する仮想照明効果操作入力をユーザから受け取るステップと、仮想照明効果操作入力に基づき第２の照明効果を決定するステップと、第２の照明効果を生成可能な第２の生成可能照明器具を示す第２の仮想照明器具を特定するステップと、第２の仮想照明器具をユーザに提供するステップとを含む。
【００１４】
［００１４］一部の実施形態では、方法は、第２の仮想照明器具を仮想環境において提供するステップを更に含む。これらの実施形態の一部のバージョンでは、方法は、仮想環境において第２の照明効果を示す第２の仮想照明効果を提供するステップを更に含み、第２の仮想照明効果は、仮想環境において第２の仮想照明器具によって生成される。
【００１５】
［００１５］一部の実施形態では、第２の照明効果は、生成可能照明器具によっては達成できない。
【００１６】
［００１６］一部の実施形態では、仮想照明効果操作入力は、ユーザが仮想環境において仮想照明器具の位置を操作することによって生成される。
【００１７】
［００１７］一部の実施形態では、仮想照明効果操作入力は、ユーザが仮想照明効果の寸法を直接操作することによって生成される。
【００１８】
［００１８］一部の実施形態では、仮想照明効果操作入力は、ユーザが仮想照明効果のパラメータを入力することによって生成される。
【００１９】
［００１９］一部の実施形態では、方法は、仮想環境において環境物体を提供するステップを更に含む。これらの実施形態の一部のバージョンでは、仮想照明効果は環境物体に投射される。一部の実施形態では、方法は、ユーザが第２の生成可能照明器具を選択した後、第２の生成可能照明器具を発注するステップを更に含む。
【００２０】
［００２０］一般的に、他の側面では、仮想カタログにおいて照明器具を選択することを可能にするコンピュータ利用方法が提供され、方法は、照明器具ファミリ選択を受け取るステップと、照明器具ファミリ選択に対応する仮想照明効果を提供するステップと、変更された仮想照明効果を作成するために、仮想照明効果の少なくとも１つのパラメータを変更する仮想照明効果操作入力をユーザから受け取るステップと、それぞれが変更された仮想照明効果を生成可能な生成可能照明器具を示す複数の照明器具選択物の仮想表現を提供するステップとを含む。
【００２１】
［００２１］一部の実施形態では、仮想照明効果操作入力は、ユーザが仮想照明効果を選択及びドラッグすることによって仮想照明効果の寸法を操作することにより生成される。
【００２２】
［００２２］他の実施形態は、本明細書に開示される方法の１つ以上のような方法を実行するためにプロセッサによって実行可能な命令を記憶する非一時的コンピュータ読み取り可能記憶媒体を含み得る。他の実装形態は、メモリと、メモリ内に記憶される命令を実行して、本明細書に開示される方法の１つ以上のような方法を実行するよう動作可能な１つ以上のプロセッサとを含み得る。
【００２３】
［００２３］本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（ｃａｒｒｉｅｒ  ｉｎｊｅｃｔｉｏｎ／ｊｕｎｃｔｉｏｎ−ｂａｓｅｄ  ｓｙｓｔｅｍ）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、アンバー色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：ｆｕｌｌ  ｗｉｄｔｈｓ  ａｔ  ｈａｌｆ  ｍａｘｉｍｕｍ））、及び所与の一般的な色分類内で様々な支配的波長を有する放射（例えば狭帯域幅、広帯域幅）を発生させるように構成及び／又は制御することができることを理解すべきである。
【００２４】
［００２４］例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（ｐｕｍｐｓ）」して、当該蛍光体材料は、いくぶん広いスペクトルを有する長波長放射を放射する。
【００２５】
［００２５］また、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学的要素（例えば拡散レンズ）を含むＬＥＤ等を指す。
【００２６】
［００２６］「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源、パイロルミネセンス源（例えば火炎）、キャンドルルミネセンス源（例えばガスマントル光源、カーボンアーク放射光源）、フォトルミネセンス源（例えばガス状放電光源）、電子飽和（ｅｌｅｃｔｒｏｎｉｃ  ｓａｔｉａｔｉｏｎ）を使用する陰極発光源（ｃａｔｈｏｄｅ  ｌｕｍｉｎｅｓｃｅｎｔ  ｓｏｕｒｃｅ）、ガルバノルミネセンス源、結晶発光（ｃｒｙｓｔａｌｌｏ−ｌｕｍｉｎｅｓｃｅｎｔ）源、キネルミネセンス（ｋｉｎｅ−ｌｕｍｉｎｅｓｃｅｎｔ）源、熱ルミネセンス源、摩擦ルミネセンス（ｔｒｉｂｏｌｕｍｉｎｅｓｃｅｎｔ）源、音ルミネセンス（ｓｏｎｏｌｕｍｉｎｅｓｃｅｎｔ）源、放射ルミネセンス（ｒａｄｉｏｌｕｍｉｎｅｓｃｅｎｔ）源、及び発光ポリマー（ｌｕｍｉｎｅｓｃｅｎｔ  ｐｏｌｙｍｅｒｓ）を含む、様々な放射源のうちの任意の１つ以上を指すと理解すべきである。
【００２７】
［００２７］所与の光源は、可視スペクトル内、可視スペクトル外、又は両者の組合せでの電磁放射を発生する。したがって、「光」及び「放射」との用語は、本明細書では同義で使用される。更に、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００２８】
［００２８］「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。更に、所与のスペクトルは、比較的狭い帯域幅（例えば、ＦＷＨＭは、基本的に、周波数又は波長成分をほとんど有さない）、又は、比較的広い帯域幅（様々な相対強度を有する幾つかの周波数又は波長成分）を有してよい。当然のことながら、所与のスペクトルは、２つ以上の他のスペクトルを混合（例えば、複数の光源からそれぞれ放射された放射を混合）した結果であってよい。
【００２９】
［００２９］本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。更に、当然のことながら、「色」との用語は、白色光及び非白色光の両方との関連で使用されてもよい。
【００３０】
［００３０］「照明器具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。更に、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００３１】
［００３１］本明細書において、用語「コントローラ」は、通常、１つ以上の光源の動作に関連する様々な装置を表すために使用される。本明細書で論じられる様々な機能を実行するために、コントローラは多数のやり方で実装され得る（例えば、専用ハードウェアによって等）。「プロセッサ」は、本明細書で論じられる様々な機能を実行するためにソフトウェア（例えば、マイクロコード）を用いてプログラミングされ得る１つ以上のマイクロプロセッサを使用するコントローラの一例である。コントローラは、プロセッサを使用して又は使用せずに実装され、また、一部の機能を実行するための専用ハードウェアと他の機能を実行するためのプロセッサとの組み合わせ（例えば、１つ以上のプログラミングされたマイクロプロセッサ及び付随する回路）として実装されてもよい。本開示の多様な実施形態において使用され得るコントローラ部品の例は、限定はされないが、従来のマイクロプロセッサ、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、及びＦＰＧＡ（ｆｉｅｌｄ−ｐｒｏｇｒａｍｍａｂｌｅ  ｇａｔｅ  ａｒｒａｙ）を含む。
【００３２】
［００３２］多様な実装形態において、プロセッサ又はコントローラは１つ以上の記憶媒体（本明細書では通常「メモリ」と呼ばれ、例えばＲＡＭ、ＰＲＯＭ、ＥＰＲＯＭ、ＥＥＰＲＯＭ、フロッピー（登録商標）ディスク、コンパクトディスク、光学ディスク、磁気テープ等の揮発性及び非揮発性コンピュータメモリ）に関連付けられ得る。一部の実装形態において、記憶媒体は、１つ以上のプロセッサ及び／又はコントローラ上で実行されると、本明細書で説明される機能のうちの少なくとも一部を実行する１つ以上のプログラムによって符号化され得る。様々な記憶媒体がプロセッサ若しくはコントローラ内に固定され、又は移動可能でもよく、記憶媒体上に記憶された１つ以上のプログラムがプロセッサ若しくはコントローラにロードされて、本明細書に説明される本発明の多様な側面を実行してもよい。本明細書において、用語「プログラム」又は「コンピュータプログラム」は広義の意味で使用され、１つ以上のプロセッサ又はコントローラをプログラミングするために用いることができるあらゆる種類のコンピュータコード（例えば、ソフトウェア又はマイクロコード）を指す。
【００３３】
［００３３］本明細書において使用される場合、用語「ユーザインターフェイス」は、ユーザとデバイスとの間の通信を可能にする、人間のユーザ又はオペレーターと１つ以上のデバイスとの間のインターフェイスを指す。本開示の多様な実施形態において使用され得るユーザインターフェイスの例は、限定はされないが、スイッチ、ポテンショメータ、ボタン、ダイヤル、スライダー、マウス、キーボード、キーパッド、多様なゲームコントローラ（例えば、ジョイスティック）、トラックボール、表示画面、多様なグラフィカルユーザインターフェイス（ＧＵＩ）、タッチスクリーン、マイク、及び人間が生成する何らかの形態の刺激を受信し、それに応じて信号を生成し得る他の種類のセンサを含み得る。
【００３４】
［００３４］上記概念、及び下記において詳細に説明される他の概念の組み合わせの全てが（かかる概念が互いに矛盾しないことを前提として）、本明細書が開示する発明的主題の一部として考えられることを理解されたい。特に、本開示の末尾に示す特許請求の主題のあらゆる組み合わせが、本開示の主題の一部として考えられる。また、本明細書で明確に使用され、また参照によって組み込まれる開示内にも現れ得る用語は、本開示が開示する特定の概念と最も調和する意味を与えられるべきであると理解されたい。
【図面の簡単な説明】
【００３５】
［００３５］図中、同様の参照符号は通常異なる図を通じて同じ部分又は部品を指す。また、図面は必ずしも縮尺通りではなく、通常、本発明の原理を説明することに重点が置かれる。
【図１】［００３６］図１は、照明器具ファミリの３つの例の仮想表現を示す。
【図２】［００３７］図２は、図１の照明器具ファミリの照明器具のうちの１つを含む仮想環境の例を示し、また、照明器具の仮想照明効果を操作するためにユーザによって調整され得る仮想環境又は照明器具の仮想表現のパラメータを示す。
【図３】［００３８］図３は、操作された照明効果を達成するために選択され得る４つの異なる照明器具の仮想表現の例を示す。
【図４】［００３９］図４は、図１の照明器具ファミリの照明器具のうちの１つを含む他の仮想環境の例を示し、また、照明器具の仮想照明効果を操作するためにユーザによって調整され得る仮想環境又は照明器具の仮想表現のパラメータを示す。
【図５】［００４０］図５は、インタラクティブ仮想照明器具カタログの全体像を示す。
【図６】［００４１］図６は、仮想環境における照明効果の操作を介して照明器具の構成設定を可能にするために使用され得る環境の例を示す。
【図７】［００４２］図７は、仮想環境における照明効果の操作を介して照明器具の構成設定を可能にする方法の一例のフロートチャートを示す。
【発明を実施するための形態】
【００３６】
［００４３］仮想照明器具カタログは通常、ＬＥＤベース照明器具等の照明器具のオファーを閲覧するための手段として使用される。既存の照明器具カタログはユーザが既存の照明器具デザインを発見することを可能にするが、１つ以上の欠点を有し得る。例えば、照明器具カタログは、ユーザが照明効果を仮想的に操作することによって１つ以上の適切な照明器具を特定することを可能にし得ない可能性がある。したがって、出願人は、既存のアプローチの１つ以上の欠点を任意選択的に克服する照明器具の構成設定に関する方法及び装置を提供する当該分野におけるニーズを認識及び理解した。
【００３７】
［００４４］より一般的には、出願人は、仮想環境における仮想照明効果の操作を介して照明器具の構成設定を提供することは有益であろうことを認識及び理解した。上記に照らして、本発明の多様な実施形態及び実装形態は、仮想環境における照明器具の構成設定を対象とする。
【００３８】
［００４５］ＬＥＤを使用する照明器具等の照明器具は、単一の照明器具において複数の照明機能を使用可能にし得る。例えば、単一の照明器具がアップライト及び／又はダウンライトを提供し得る。また、例えば、単一の照明器具が生成光の強度レベル、ビームサイズ、ビーム形状、及び／又は色を制御することを可能にし得る。更に、柔軟な照明器具製造方法は、照明器具をカスタマイズするための複数のオプションを提供し得る。柔軟な照明器具製造方法は、ユーザが設計プロセスにおいてユニークな照明器具を作成及び改作し、そのユニークな照明器具を生産することを可能にし得る。例えば、ユーザが照明器具の形状をカスタマイズできてもよく、ユーザが照明器具の光学系及び／又はＬＥＤをカスタマイズできてもよく、ユーザが１つ以上の照明器具の部品の透明度をカスタマイズできてもよく、且つ／又はユーザが制御効果をカスタマイズできてもよい。本開示の利益を享受した当業者は、本明細書に記載される１つ以上の方法及び／又は装置に係る照明器具の選択及び／又は作成において、ユーザが照明器具の追加の及び／又は代わりの特徴をカスタマイズ可能であり得ることを認識及び理解するであろう。また、本開示の利益を享受した当業者は、本明細書が記載する１つ以上の方法及び装置が、１つ以上のカスタマイズできない照明器具から照明器具を選択するために使用され得ることを認識及び理解するであろう。
【００３９】
［００４６］図１を参照すると、３つの照明器具ファミリの仮想表現が示されている。下方に位置するダイニングテーブル１３０Ａ−Ｃにそれぞれ向けられる照明効果仮想照明効果１２０Ａ−Ｃをそれぞれ生成する照明器具ファミリの代表的照明器具照明器具１１０Ａ−Ｃが示されている。図示の照明器具照明器具１１０Ａ−Ｃは、例えばダイニングテーブル１３０Ａ−Ｃ等のテーブルの上方で使用され得る吊り照明器具である。各照明器具ファミリは、共通性があり、同じ概括的照明器具ファミリに属すると定められた照明器具のコレクションを表す。例えば、照明器具ファミリは、観察者に対する共通の視覚的特徴を有する照明器具を含み得る。
【００４０】
［００４７］一部の実施形態では、照明器具ファミリの仮想表現がユーザに提示され、照明器具ファミリの１つ以上の照明器具から選択することができるよう、ユーザが１つ以上の照明器具ファミリのうちの１つを選択し得る。照明器具ファミリはユーザに個別に（例えば、１つずつ）提示されてもよいし、更に／又は他の照明器具ファミリと組み合わせて（例えば、図示の照明器具ファミリの２つ以上、任意で他の照明器具ファミリと共に）提示されてもよい。ユーザは、個々の照明器具ファミリを閲覧してもよいし、１つ以上の検索基準（例えば、名前、スタイル、価格、人気、使用場所、及び／又は機能）に基づいて１つ以上の照明器具ファミリを検索してもよいし、さもなければ更に／又は選択可能な照明器具ファミリの１つ以上の仮想表現がユーザに提示されてもよい。
【００４１】
［００４８］図２は、図１の照明器具のファミリのうちの１つの代表的照明器具１１０Ａを含む仮想環境の一例を示す。一部の実装形態では、ユーザが照明器具１１０Ａを有する照明器具ファミリを選択した後に図２の仮想環境が表示され得る。代表的照明器具１１０Ａは、ダイニングテーブル１３０Ａの上方の天井１３５から吊り下げられるように示されている。仮想照明効果１２０Ａは、照明器具１１０Ａによって生成されているように示されており、ダイニングテーブル１３０Ａに向けられている。
【００４２】
［００４９］一部の実施形態では、ユーザは、任意で、ダイニングテーブル１３０Ａ以外の追加の及び／又は代わりの環境物体が表示されることを選択し得る。例えば、ユーザは２つのダイニングテーブルを照らすことを望み、仮想環境内に２つのダイニングテーブルが表示されることを選択し得る。また、例えば、ユーザはより広いテーブルを照らすことを望み、仮想環境内により広いテーブルが表示されることを望み得る。また、例えば、ユーザは床のみを照らすことを望み、ダイニングテーブル１３０Ａが取り除かれ、仮想環境内に床が表示されてもよい。また、例えば、一部の実施形態では、仮想環境の全て又は一部として表示するために、ユーザは物体及び／又は環境のモデルをアップロード及び／又は作成し得る。例えば、物体及び／又は環境のモデリングを可能にする３Ｄドローソフトウェア及び／又は３Ｄスキャンソフトウェアを用いて作成されてもよい。
【００４３】
［００５０］照明パラメータ調整矢印１２１−１２４は、照明器具１１０Ａが生成する仮想照明効果１２０Ａの１つ以上のパラメータを直接又は間接的に調整するためにユーザが操作し得る仮想環境又は照明器具の仮想表現の調整可能な特徴を表す。照明パラメータ調整矢印１２１−１２４は、ユーザがユーザインターフェイスを使用することによって操作され得る。一部の実施形態では、照明パラメータ調整矢印１２１−１２４は、ユーザがポインター１０１を制御するユーザインターフェイスデバイスを介して照明パラメータ調整矢印１２１−１２４のうちの１つを選択し、ポインター１０１を用いて選択された矢印を所望の方向にドラッグすることによって操作され得る。一部の実施形態では、照明パラメータ調整矢印１２１−１２４は、１つ以上の良く知られたタッチスクリーン方式を介してユーザによって操作され得る。例えば、指によって調整矢印１２１−１２４のうちの１つが選択されてドラッグされ得る。また、例えば、指によって調整矢印１２１−１２４のうちの１つが選択され、その後ユーザがタッチスクリーンを備えるデバイスの向きを調整することによって選択された矢印を操作してもよい。本開示の利益を享受した当業者は、仮想環境の１つ以上の特徴を調整して仮想照明効果の１つ以上のパラメータを調整するために、追加の及び／又は代わりのユーザインターフェイス及び／又は他の方法が用いられ得ることを認識及び理解するであろう。
【００４４】
［００５１］矢印１２１は、天井１３５に対する照明器具１１０Ａの垂直位置を調整し、結果として、テーブル１３０Ａ上及び／又はテーブル１３０Ａの背後に存在する仮想照明効果１２０Ａのフットプリントを調整するために作動され得る。例えば、照明器具１１０Ａを天井１３５に近づけると、テーブル１３０Ａ上の仮想照明効果のビームサイズが大きくなる。矢印１２２は、照明器具１１０Ａにおける仮想照明効果１２０Ａの発光領域のサイズ（例えば、仮想照明効果１２０Ａの上部の幅）を調整するために作動され得る。例えば、矢印１２２を照明器具１１０Ａから外側に動かすと、照明器具１１０Ａから出射する仮想照明効果１２０Ａの面積が広くなり得る。例えば、矢印１２２を外側に調整すると、照明器具１１０Ａの直径が長くなり、且つ／又は、照明器具１１０Ａの外径付近にＬＥＤ等の発光素子が追加され、照明器具１１０Ａから出射する仮想照明効果１２０Ａの面積が広がり得る。矢印１２３は、照明器具１１０Ａに対してテーブル１３０Ａの位置を調整し、結果として、テーブル１３０Ａ上及び／又はテーブル１３０Ａの背後に存在する仮想照明効果１２０Ａのフットプリントを調整するために作動され得る。例えば、テーブル１３０Ａを照明器具１１０Ａに近づけると、テーブル１３０Ａ上の仮想照明効果のビームサイズが減少する。矢印１２４は、テーブル１３０Ａ上に存在する仮想照明効果１２０Ａのフットプリントを直接調整するために作動され得る。例えば、矢印１２４を外側に動かすと、テーブル１３０Ａ上の、及び場合によってはテーブル１３０Ａの背後の仮想照明効果のビームサイズが拡大される。
【００４５】
［００５２］本開示の利益を享受した当業者は、任意で、ユーザフェイスを介して仮想照明効果１２０Ａに直接又は間接的に追加の及び／又は代替的な調整が実行され得ることを認識及び理解するであろう。例えば、一部の実施形態では、フットプリントの形状、照明効果の強度、及び／又は照明効果の色が、更に及び／又は代わりにユーザによって調整され得る。例えば、タッチスクリーン実装形態では、仮想照明効果１２０Ａの強度を調整するために２本指ピンチジェスチャーが用いられてもよく、更に／又は、仮想照明効果１２０Ａの１つ以上の追加の照明効果パラメータを操作するための入力オプションを提示するために、仮想照明効果１２０Ａのダブルタップが用いられてもよい。
【００４６】
［００５３］図３を参照すると、仮想照明効果１２０Ａの操作された照明効果を実現するために選択され得る４つの異なる照明器具１１０Ａ１−Ａ４の４つの仮想表現の例が示されている。一部の実施形態では、ユーザが図２の矢印１２４を外側に調整し、仮想照明効果１２０Ａのフットプリントを拡大することに応じて４つの異なる照明器具１１０Ａ１−Ａ４が表示され、照明器具１１０Ａ１−Ａ４は、より大きなフットプリントを供給するためのオプションを表し得る。
【００４７】
［００５４］一部の実施形態では、仮想照明効果１２０Ａの調整を実現するために、照明器具１１０Ａの構成の調整を要し且つ／又は代替的な照明器具の使用を可能にする仮想照明効果１２０Ａの任意の直接の又は間接的な調整に応じて、追加のオプションが自動的に表示され得る。一部の実施形態では、ユーザが照明効果操作の完了を示すことに応じて追加のオプションが表示されてもよい。一部の実装形態では、ユーザはキャリッジリターン及び／又は他のキャラクタを入力することによって照明効果操作の完了を示すことができる。一部の実装形態では、ユーザは（例えば、仮想環境と組み合わせて）提示されるユーザインターフェイス内の完了ボタンを選択することによって照明効果操作の完了を指示できる。一部の実装形態では、ユーザは音声ユーザインターフェイスにコマンドを発話することによって照明効果操作の完了を指示することができる、一部の実装形態では、ユーザは仮想照明効果１２０Ａの調整中に所定の時間以上ポーズすることによって照明効果操作の完了を指示できる。本開示の利益を享受した当業者は、任意で、照明効果操作の完了を示す他の形態が用いられ得ることを認識及び理解するであろう。
【００４８】
［００５５］照明器具１１０Ａ１は照明器具１１０Ａと類似するが、図２の位置よりテーブル１３０Ａに対して高い位置に設置され、テーブル１３０Ａにおいてより大きなフットプリントを与え、また照明効果フットプリントにおいて同様な光強度を維持するために追加のＬＥＤを含む。照明器具１１０Ａ２は照明器具１１０Ａと類似するが、ＬＥＤと組み合わせられる異なる光学系を含み、ＬＥＤが生成する光出力のより広範な拡散を提供し、また照明効果フットプリントにおいて同様な照明強度を維持するために追加のＬＥＤを含む。照明器具１１０Ａ３は照明器具１１０Ａより幅が広く、照明効果フットプリントの大きさを拡大するために追加のＬＥＤを含む。照明器具１１０Ａ４は３つの別個の照明器具の構成要素を含み、これらは１つ１つは照明器具１１０Ａより小さいが、組み合わせられることにより、一体的に生成される照明効果フットプリントを拡大する。任意で、図３に示される４つの例以外に追加で及び／又は代わりの他の照明器具が提供されてもよい。
【００４９】
［００５６］ユーザは、任意で、操作された照明効果を作成するための所望の照明器具として、図３に提示される４つの照明器具のオプションのうちの１つを選択することができる。オプションから１つを選択した後、ユーザは、選択された仮想照明器具に対応する生成可能照明器具を注文することを選択し得る。生成可能照明器具は既製品でもよいし、又はユーザの選択に基づくカスタムメイドでもよい。一部の実施形態では、ユーザは更に、例えば照明器具の色、照明器具の材料、生成光の色のオプション、コントローラソフトウェアオプション、ドライバオプション等の照明器具の１つ以上の特徴をカスタマイズし得る。照明器具オプションのうちの１つを選択した後、ユーザは加えて又は代わりに、選択されたオプションによって生成される照明効果を更に直接又は間接的に変更することを選択し得る。例えば、ユーザは照明効果を更に改良し、更に改良された照明効果を作成できる追加の照明器具オプションがユーザに提示されてもよい。あるいは、ユーザが提供されたオプションのうちの１つを選択することを望まない場合、ユーザは図２の元の照明器具１１０Ａに戻り、任意で、仮想照明効果１２０Ａを更に改良し、且つ／又は探索のために異なる照明器具ファミリを選択し得る。
【００５０】
［００５７］図４は、図１の照明器具ファミリのうちの１つの代表的照明器具１１０Ａを含む仮想環境の他の例を示す。代表的照明器具１１０Ａは、ダイニングテーブル１３０Ａの上方の天井１３５から吊り下げられるよう示されている。照明効果１２０Ａは、照明器具１１０Ａによって生成されているように示されており、ダイニングテーブル１３０Ａに向けられている。
【００５１】
［００５８］図４には照明パラメータ調整矢印１２１−１２４が示されている。更に、照明パラメータ入力領域１２１Ａ−１２４Ａが、それらを記述する記述領域１２１Ｂ−１２４Ｂと組み合わせて図示されている。照明パラメータ入力領域１２１Ａ−１２４Ａは、ユーザが直接又は間接的に照明効果１２０Ａの１つ以上のパラメータを指定するために数値等のパラメータを入力及び／又は調整し得る領域である。一部の実施形態では、ユーザがユーザインターフェイス（例えば、仮想の及び／又は外部のキーボード）を用いることによってパラメータが入力され得る。
【００５２】
［００５９］照明パラメータ値入力領域１２１Ａには、天井１３５に対する照明器具１１０Ａの垂直位置を設定し、結果としてテーブル１３０Ａ及び／又はテーブル１３０Ａの背後に存在する仮想照明効果１２０Ａのフットプリントを調整する値が与えられ得る。照明パラメータ値入力領域１２２Ａには、照明器具１１０Ａにおける仮想照明効果１２０Ａの生成領域のサイズ（例えば、仮想照明効果１２０Ａの上部の幅）を設定する値が与えられ得る。照明パラメータ値入力領域１２３Ａには、照明器具１１０Ａに対するテーブル１３０Ａの位置を設定し、結果としてテーブル１３０Ａ上及び／又はテーブル１３０Ａの背後に存在する仮想照明効果１２０Ａを調整する値が与えられ得る。照明パラメータ値入力領域１２４Ａには、テーブル１３０Ａ上に存在する仮想照明効果１２０Ａのフットプリントを設定する値が与えられ得る。照明パラメータ入力領域１２１Ａ−１２４Ａは、照明パラメータ調整矢印１２１−１２４及び／又は他の照明器具パラメータ調整ユーザインターフェイスに加えて又はその代わりに使用され得る。
【００５３】
［００６０］図５は、インタラクティブ仮想照明器具カタログの一実施形態の全体像を示す。カタログのデザインファミリ探索レベル２１０は、照明器具ファミリのコレクションを示す。それぞれの照明器具デザインファミリごとに、照明器具の例が１つだけ示される。これらの照明器具デザインファミリを見ることにより、カスタマーは入手可能又は利用可能な照明器具デザインファミリの概観を得る。一部の実装形態では、カスタマーは照明器具ファミリをざっと閲覧してもよいし、且つ／又は、より詳細なビューのために１つ以上の照明器具ファミリのコレクションを特定するために、フィルタを使用することができる。照明器具ファミリのコレクションから、ユーザはコレクションの所望の照明器具ファミリのより近いビュー及び／又は関連する追加情報を得ることができる。
【００５４】
［００６１］照明器具ファミリが選択されると、カタログのデザイン選択及び仮想照明効果適合レベル２１５において、仮想環境内で照明器具ファミリの一例がユーザに対して提示される。また、照明器具ファミリの一例は、その照明器具の実例が生成する仮想照明効果の特性をユーザが直接又は間接的に変更することを可能にする何らかのユーザインターフェイスと共に提示される。例えば、仮想照明効果の特性を間接的に変化させるために、照明器具の実例及び／又は仮想環境の特性が間接的に変更され得る。
【００５５】
［００６２］ユーザが照明効果を変更し、照明効果変更の完了を示すとき、カタログは、カタログの追加照明器具生成レベル２２０において、変更された照明効果を達成するために使用可能な複数の照明器具オプションを提供する。一部の実施形態では、照明器具のデータベースからの特定により１つ以上の追加の照明器具が生成され得る。例えば、選択された照明器具ファミリ、照明効果パラメータ、及び／又は環境パラメータのうちの１つ以上のパラメータに基づいて照明器具のデータベースが検索され得る。一部の実施形態では、１つ以上の既知のパラメータに基づき１つ以上の照明器具が作成され得る。例えば、選択された照明器具ファミリ、照明効果パラメータ、１つ以上の照明器具構成要素の既知の能力、及び／又は環境パラメータのうちの１つ以上のパラメータに基づいて照明器具が作成され得る。
【００５６】
［００６３］一部の実施形態では、照明器具の実例に適用される１つ以上のグローバルルールを実行することによって１つ以上の照明器具が生成され得る。例えば、照明効果の変更に適合するためのグローバルルールは、照明器具の再配置、照明器具のサイズ変更、照明器具の光学特性（例えば、ＬＥＤに組み合わせられる光学系、照明器具の光出力口に設けられるレンズ、及び／又は照明器具の光反射体）の変更、照明器具の光源の性能（例えば、ＬＥＤベース光源の出力及び／又はルクス）の変更、照明器具の光源の数及び／若しくは配置の変更、並びに／又は同じ照明器具の複数の例の使用を含み得る。
【００５７】
［００６４］一部の実施形態では、グローバルルールの１つ以上の実行は、例えば、照明器具の光源の最大出力／輝度、照明器具の最大寸法及び重量、生産方法による制限、並びに／又は製造条件（例えば、所定のモジュールのセットからしか照明器具の要素を選択することができない）等の１つ以上のファクタによって制限され得る。
【００５８】
［００６５］一部の実施形態では、グローバルルールを使用していくつかの固定パラメータ及び他の可変パラメータを選択することによって１つ以上の照明器具のバリエーションを生成してもよい。一部の実装形態では、可変パラメータの値を決定するために任意で乱数生成器が使用され得る。一部の実装形態では、他の方法を用いて残りのパラメータの値を決定してもよい。例えば、既成の又はランダムなパラメータのセットから照明効果が計算されてもよく、照明効果が目標の操作された照明効果の方向に変更されるか否かを決定するためにパラメータのセットにデルタが適用されてもよい。また、例えば、逆モデル関数が利用可能な場合、目標の操作された照明効果から値が計算されてもよい。照明器具ごとに、照明器具のモデルから未知の値を決定又は計算して、照明器具がパラメータ条件を満たし得ることを確認してもよい。
【００５９】
［００６６］一例として、照明効果が照明器具のサイズ及びビーム形状の関数である照明器具が考えられる。戦略ルールから、照明器具の３つの異なるサイズのセットが提案され（小、中、大のサイズの照明器具）、その後必要なビーム形状が導き出され得る。その後、これらの実例の全てが照明器具ファミリの実例として表示され、照明器具及び照明効果が３Ｄレンダリングされ、カタログ内のアイテムとして視覚化されてもよい。本開示の利益を享受した当業者は、操作された照明効果を生成可能な１つ以上の照明器具を特定する追加の及び／又は代わりの方法が実行され得ることを認識及び理解するであろう。
【００６０】
［００６７］新たな照明器具生成レベル２２０で提示された照明器具の選択後、任意で、カタログの照明器具適合レベル２２５において、選択された照明器具を更に適合するオプションがユーザに与えられてもよい。一部の実施形態では、照明器具適合レベル２２５において、選択された照明器具の１つ以上の特性が固定され、一方で他の特性がニーズ及び／又は要望に従うよう適合されてもよい。例えば、一部の実施形態では、照明器具の外観は固定されるが、選択された照明器具の異なるタイプの光出力のオプションを追加で得ることが望ましい可能性がある。カタログは、照明器具の外観を変更することなく、光生成エンジンのみを異なるタイプの光出力が得られるよう変更することにより、これを提供することができる。例えば、図５に示されるように、ユーザは新たな照明器具生成レベル２２０で照明器具３を選択し得る。照明器具適合レベル２２５において、ユーザは選択された照明器具３が２２６に図示されるようなより細いスポットタイプの出力を更に生成可能であるべき旨を指示できる。本開示の利益を享受した当業者は、任意で、照明器具の更なる及び／又は他のパラメータが適合され得ることを認識及び理解するであろう。一部の実装形態では、仮想照明効果適合レベル２１５において、選択された照明器具の１つ以上の特性が任意で固定される一方、他の特性は操作された照明効果に従うよう適合されてもよい。
【００６１】
［００６８］照明器具適合レベル２２５で要求された適合が可能な場合、実行レベル２３０において、選択された照明器具において適合が実行される。例えば、図５に示されるように、選択された照明器具の光生成エンジンが３つの異なるゾーンを有するよう照明器具適合レベル２２５で適合され、これにより、中央のゾーンのみが照明して、より細いスポットタイプの出力を得ることが可能になる。
【００６２】
［００６９］任意で、視覚化レベル２３５において、照明器具によって生成され得る可能な効果が表示されてもよい。例えば、生成され得る異なる光出力フットプリントが表示されてもよい。また、例えば、生成され得る異なる光出力の強度及び／又は色が表示されてもよい。
【００６３】
［００７０］図６は、仮想環境における照明効果の操作を介して照明器具の構成設定を可能にするために使用され得る環境の例を示す。環境は、環境の様々な構成要素間の通信を可能にする通信ネットワーク６０１を含む。通信ネットワーク６０１は環境内の様々な構成要素間の通信を容易にする。一部の実装形態では、通信ネットワークはインターネット、１つ以上のイントラネット、及び／又は１つ以上のバスサブシステムを含み得る。通信ネットワーク６０１は、任意で、１つ以上の標準通信技術、プロトコル、及び／又はプロセス間通信技術を用い得る。
【００６４】
［００７１］一部の実装形態では、ユーザはクライアントコンピューティングデバイス６３０を介して照明器具カタログにアクセスし、仮想照明器具カタログエンジン６１０とインタラクトし得る。クライアントコンピューティングデバイス６３０は、データ及びソフトウェアアプリケーションを記憶するためのメモリ、データにアクセス及びアプリケーションを実行するためのプロセッサ、並びに通信ネットワーク６０１上の通信を容易にする構成要素を含む。コンピューティングデバイス６３０は、仮想照明器具カタログエンジン６１０によって生成された仮想環境をユーザが見ることを可能にし、それとインターフェイス接続するウェブブラウザ（例えば、ウェブブラウザ６３２）等の１つ以上のアプリケーションを実行する。例えば、ウェブブラウザ６３２は、ユーザがコンピューティングデバイス６３０のユーザインターフェイスを介して仮想カタログを閲覧し、仮想カタログ内の照明器具を選択し、且つ／又は照明器具によって生成される照明効果の１つ以上のパラメータを操作することを可能にし得る。
【００６５】
［００７２］仮想照明器具カタログエンジン６１０はクライアントコンピューティングデバイス６３０又は他の場所から入力される変更後の照明効果を受信し、かかる変更後の照明効果入力を用いて、変更後の照明効果入力によって表される変更後の照明効果を生成可能な１つ以上の照明器具を本明細書に記載されるような技術を利用して決定できる。一部の実装形態では、仮想照明器具カタログエンジン６１０は図１−図６に関連して本明細書で記載される方法の１つ以上のステップを実行し得る。仮想照明器具カタログエンジン６１０はハードウェア、ファームウェア、及び／又はハードウェア上で動作するソフトウェア内に実装され得る。例えば、仮想照明器具カタログエンジン６１０は１つ以上のコンピュータサーバ内に実装され得る。
【００６６】
［００７３］図６に示される環境より多くの又は少ない構成要素を備える多くの他の構成が可能である。例えば、図６では仮想照明器具カタログエンジン６１０、コンテンツデータベース、及びクライアントコンピューティングデバイス６３０は別々の構成要素として示されているが、一部の環境では仮想照明器具カタログエンジン６１０及び／又はコンテンツデータベース６１５は任意で部分的に又は完全にクライアントコンピューティングデバイス６３０上に実装されてもよいことを理解されたい。
【００６７】
［００７４］図７は、仮想環境における照明効果を介して照明器具の構成設定を可能にする方法の一例のフローチャートを示す。他の実施形態は異なる順番でステップを実行し、特定のステップを省略し、且つ／又は図７に示されるものとは異なる及び／若しくは追加のステップを実行し得る。便宜上、プロセスを実行する１つ以上のコンピュータのシステムに関連して図７の側面を説明する。システムは例えば、図６の仮想照明器具カタログエンジン６１０を含み得る。
【００６８】
［００７５］ステップ７００において、仮想照明器具及び仮想照明器具によって生成される仮想照明効果がユーザに提供される。一部の実装形態では、仮想照明器具及び仮想照明効果は仮想照明器具カタログエンジン６１０によって提供され得る。仮想照明器具及び仮想照明効果は、任意で、１つ以上の環境物体、例えば照明器具のタイプに対応する環境物体、ユーザ選択環境物体、及び／又はユーザ生成環境物体等と組み合わせて提供され得る。一部の実施形態では、ステップ７００はユーザがその仮想照明器具を含む照明器具ファミリを選択することに応じて実行され得る。一部の実装形態では、ステップ７００と図２及び図４とは１つ以上の共通の特徴を共有し得る。また、一部の実装形態では、ステップ７００と図５のカタログの仮想照明効果適合レベル２１５とは１つ以上の共通の特徴を共有し得る。
【００６９】
［００７６］ステップ７０５では、仮想照明効果の１つ以上のパラメータの操作が可能にされる。一部の実装形態では、仮想照明効果の１つ以上のパラメータの操作は仮想照明器具カタログエンジン６１０によって可能にされる。仮想照明効果は、任意で、１つ以上のユーザインターフェイス、例えばコンピュータの１つ以上の外部ユーザ入力デバイス及び／又は１つ以上のタッチスクリーン等を介して操作され得る。一部の実装形態では、ステップ７０５と図２及び図４とは１つ以上の共通の特徴を共有し得る。また、一部の実装形態では、ステップ７０５と図５のカタログの仮想照明効果適合レベル２１５とは１つ以上の共通の特徴を共有し得る。
【００７０】
［００７７］ステップ７１０では、ユーザによる仮想照明効果の操作に応じて第２の照明効果が決定される。一部の実装形態では、仮想照明器具カタログエンジン６１０によって第２の照明効果が決定され得る。第２の照明効果はユーザによる仮想照明効果の操作による入力に基づいて決定され得る。一部の実装形態では、ステップ７１０と図２及び図４とは１つ以上の共通の特徴を共有し得る。また、一部の実装形態では、ステップ７１０と図５のカタログの仮想照明効果適合レベル２１５とは１つ以上の共通の特徴を共有し得る。
【００７１】
［００７８］ステップ７１５では、第２の照明効果を生成できる第２の照明器具が特定される。一部の実装形態では、第２の照明器具はコンテンツデータベース６１５の参照を介して仮想照明器具カタログエンジン６１０によって特定される。第２の照明器具は、任意で、仮想照明器具に適用可能な１つ以上のグローバルルールを実行することによって特定され得る。一部の実装形態では、ステップ７１５と図３とは１つ以上の共通の特徴を共有し得る。また、一部の実装形態では、ステップ７１５と図５のカタログの新たな照明器具生成レベル２２０は１つ以上の共通の特徴を共有し得る。
【００７２】
［００７９］ステップ７２０では、第２の照明器具の仮想表現がユーザに提供される。一部の実装形態では、第２の照明器具の仮想表現は仮想照明器具カタログエンジン６１０によってユーザに提供される。第２の照明器具の仮想表現は、任意で、１つ以上の環境物体、例えば照明器具のタイプに対応する環境物体、ユーザ選択環境物体、及び／又はユーザ生成環境物体等の１つ以上の環境物体と組み合わせて提供され得る。一部の実装形態では、ステップ７２０と図３とは１つ以上の共通の特徴を共有し得る。また、一部の実装形態では、ステップ７２０と図５のカタログの新たな照明器具生成レベル２２０とは１つ以上の共通の特徴を共有し得る。一部の実装形態では、ユーザは第２の照明器具の仮想表現を選択することによって第２の照明器具を発注し得る。一部の実装形態では、ユーザは仮想インターフェイスを介して、第２の照明器具の制約内で第２の照明器具の１つ以上のパラメータ、例えば光出力パラメータ及び／又は照明器具外観等を更に変更し得る。
【００７３】
［００８０］いくつかの発明的実施形態を記載及び図示したが、当業者は、開示の機能を実行するための、並びに／又は開示の結果及び／若しくは１つ以上の利益を得るための様々な他の手段及び／又は構造に容易に想到するであろう。また、かかる変形例及び／又は改変例は開示の発明的実施形態の範囲に含まれるとみなされる。より一般的には、開示される全てのパラメータ、寸法、材料、及び構成は例示的であり、実際のパラメータ、寸法、材料、及び／又は構成は、発明的な教示が適用される特定の用途に依存することを当業者は容易に理解するであろう。当業者は、通常の実験以上を要することなく、開示の特定の発明的実施形態の多数の均等物を認識又は確認できるであろう。したがって、上記実施形態はあくまで例として提示されており、特許請求の範囲及び均等物の範囲内において、発明的実施形態は明確に記載及び請求された態様以外の態様で実施され得る。本開示の発明的実施形態は、本明細書に開示される個々の特徴、システム、物品、材料、キット、及び／又は方法を対象とする。また、かかる特徴、システム、物品、材料、キット、及び／又は方法が互いに矛盾しない場合、かかる特徴、システム、物品、材料、キット、及び／又は方法の２つ以上の任意の組み合わせは本開示の発明的範囲に含まれる。
【００７４】
［００８１］本明細書で定義及び使用される全ての定義が、辞書の定義、参照によって組み込まれる文献内の定義、及び／又は定義される用語の通常の意味を支配すると理解されたい。
【００７５】
［００８２］本明細書及び特許請求の範囲において、明らかに反して示されていない限り、要素は「少なくとも１つの」要素を意味すると理解すべきである。
【００７６】
［００８３］本明細書及び特許請求の範囲で使用される語句「及び／又は」は、結合されている要素の「一方又は両方」、すなわち、ある場合には接続的（共同的）に存在し、他の場合には離接的（分離的）に存在する要素を意味すると理解すべきである。「及び／又は」によって列挙される複数の要素も同様に解されるべきであり、すなわち、接続される要素の「１つ以上」と解されるべきである。「及び／又は」の句によって具体的に特定される要素以外の要素が任意で存在してもよく、具体的に特定される要素に関係しても無関係でもよい。したがって、非限定的な例として、「含む」等の非制限的な文言と共に使用される場合、「Ａ及び／又はＢ」は、一実施形態ではＡのみ（任意でＢ以外の要素を含む）、他の実施形態ではＢのみ（任意でＡ以外の要素を含む）、他の実施形態ではＡ及びＢの両方（任意で他の要素を含む）等を指し得る。
【００７７】
［００８４］本明細書及び特許請求の範囲において、「又は」は、上記で定義した「及び／又は」と同じ意味を有すると理解されるべきである。例えば、列挙される項目を分けるとき、「又は」又は「及び／又は」は包括的であると解釈されるべきであり、つまり、複数の又は列挙される要素の少なくとも１つ及び２つ以上、並びに、任意で、付加的な列挙されない項目を含む。明確に反する用語、例えば「１つのみ」若しくは「ただ１つ」、又は特許請求の範囲で使用される場合の「〜からなる」等のみが複数の又は列挙される要素のただ１つの要素を含むことを意味する。通常、本明細書で使用される場合、用語「又は」は、「どちらかの」、「〜のうちの１つ」、「〜の１つのみ」、又は「〜のちょうど１つ」等の排他的な用語が先行する場合にのみ排他的選択肢（すなわち、「どちらか一方」）を指すと解されるべきである。「本質的に〜からなる」は、特許請求の範囲において使用される場合、特許法の分野において使用される通常の意味を有するであろう。
【００７８】
［００８５］本明細書及び特許請求の範囲において、１つ以上の要素の列挙に関連する語句「少なくとも１つ」は、要素の列挙内の任意の１つ以上の要素から選択される少なくとも１つの要素を意味すると理解されるべきであり、必ずしも要素の列挙内に具体的に列挙される全ての要素を少なくとも１つ含まず、要素の列挙内の要素のあらゆる組み合わせを除外しない。また、この定義は、語句「少なくとも１つ」が指す要素の列挙内に具体的に特定される要素以外の要素が任意で存在し得ることを許容し、具体的に特定される要素に関係しても無関係でもよい。したがって、非限定的な例として、一実施形態において、「Ａ及びＢの少なくとも１つ」（又は、同等に、「Ａ又はＢの少なくとも１つ」若しくは「Ａ及び／又はＢの少なくとも１つ」）は、Ｂが存在せず、少なくとも１つの、任意で２つ以上のＡを指し（任意でＢ以外の要素を含む）、他の実施形態においては、Ａが存在せず、少なくとも１つの、任意で２つ以上のＢを指し（任意でＡ以外の要素を含む）、他の実施形態においては、少なくとも１つの、任意で２つ以上のＡ、及び少なくとも１つの、任意で２つ以上のＢを指し得る（任意で他の要素を含む）。
【００７９】
［００８６］また、明らかに反するよう示されない限り、１つ以上のステップ又は動作を含むあらゆる特許請求の方法において、方法のステップ又は動作の順番は必ずしも方法のステップ又は動作が列挙されている順番に限定されないことを理解されたい。
【００８０】
［００８７］また、請求項において括弧内に参照符号がある場合、それらは単に便宜上設けられたものであり、特許請求の範囲を決して限定しないと解されるべきである。
【００８１】
［００８８］特許請求の範囲においても上記明細書においても、「備える」、「含む」、「担持する」、「有する」、「含有する」、「関与する」、「保持する」、「〜から構成される」等といったあらゆる移行句は、非制限的、すなわち、限定ではなく含むを意味すると理解すべきである。米国特許庁特許審査手続便覧の第２１１１．０３項に記載される通り、「〜からなる」及び「本質的に〜からなる」といった移行句のみが、制限又は半制限移行句である。
【図１】
2020080316.tif 000003
【図２】
2020080316.tif 000004
【図３】
2020080316.tif 000005
【図４】
2020080316.tif 000006
【図５】
2020080316.tif 000007
【図６】
2020080316.tif 000008
【図７】
2020080316.tif 000009
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
仮想環境における照明効果の操作を介して照明器具の構成設定を可能にするコンピュータ利用方法を実行するためのコンピュータプログラムであって、プロセッサ及び／又はコントローラ上で実行されると、
第１の仮想照明器具及び第１の仮想照明効果を含む仮想環境を提供するステップであって、前記第１の仮想照明器具は第１の生成可能照明器具を示し、前記第１の仮想照明効果は前記第１の仮想照明器具によって生成され、前記第１の生成可能照明器具によって生成される第１の生成可能光出力を示す、ステップと、
ユーザが前記仮想環境において１つ以上のパラメータを操作して第２の仮想照明効果を作成することを可能にするステップと、
前記パラメータの操作に応じて第２の仮想照明器具を前記仮想環境を介して提供するステップであって、前記第２の仮想照明器具は第２の生成可能照明器具を示し、前記第２の仮想照明効果は、前記第１の生成可能照明器具によって生成される第１の生成可能光出力を達成可能であり、且つ、前記第２の生成可能照明器具によっては達成可能であるが、前記第１の生成可能照明器具によっては達成できない第２の生成可能光出力を示す、ステップと
を実行する、コンピュータプログラム。
【請求項２】
仮想環境における照明効果の操作を介して照明器具の構成設定を可能にするコンピュータ利用方法を実行するためのコンピュータプログラムであって、プロセッサ及び／又はコントローラ上で実行されると、
第１の仮想照明器具及び第１の仮想照明効果を含む仮想環境を提供するステップであって、前記第１の仮想照明器具は第１の生成可能照明器具を示し、前記第１の仮想照明効果は前記第１の仮想照明器具によって生成され、前記第１の生成可能照明器具によって生成される第１の生成可能光出力を示す、ステップと、
ユーザが前記仮想環境において１つ以上のパラメータを操作して第２の仮想照明効果を作成することを可能にするステップと、
前記パラメータの操作に応じて第２の仮想照明器具を前記仮想環境を介して提供するステップであって、前記第２の仮想照明器具は第２の生成可能照明器具を示し、前記第２の仮想照明効果は、前記第２の生成可能照明器具によっては達成可能であるが、前記第１の生成可能照明器具によっては達成できない第２の生成可能光出力を示す、ステップと
を実行する、コンピュータプログラムであり、
前記ユーザにより前記仮想環境における前記第１の仮想照明器具の寸法の変更が、前記仮想環境における前記第１の仮想照明効果とは異なる前記第２の仮想照明効果を形成する、コンピュータプログラム。
【請求項３】
前記仮想環境は環境物体を含む、請求項１又は２に記載のコンピュータプログラム。
【請求項４】
前記第１の仮想照明効果は前記環境物体に投射される、請求項３に記載のコンピュータプログラム。
【請求項５】
ユーザが前記仮想環境において前記環境物体に対する前記第１の仮想照明器具の位置を操作し、前記環境物体上の前記第１の仮想照明効果の前記パラメータを操作することを可能にするステップを更に実行する、請求項３に記載のコンピュータプログラム。
【請求項６】
ユーザが前記パラメータを操作することを可能にする前記ステップは、前記第１の仮想照明効果に関連付けられたマークを選択及びドラッグすることによって前記第１の仮想照明効果の寸法を直接操作することを可能にするステップを含む、請求項１又は２に記載のコンピュータプログラム。
【請求項７】
ユーザが前記パラメータを操作することを可能にする前記ステップは、ユーザが前記第１の仮想照明効果の前記パラメータを入力するステップを含む、請求項１又は２に記載のコンピュータプログラム。
【請求項８】
前記パラメータは、前記第１の仮想照明効果のフットプリントの大きさ、フットプリントの形状、強度、及び色のうちの少なくとも１つを含む、請求項１又は２に記載のコンピュータプログラム。
【請求項９】
前記ユーザが前記第２の生成可能照明器具を選択した後、前記第２の生成可能照明器具を発注するステップを更に実行する、請求項１又は２に記載のコンピュータプログラム。
【請求項１０】
仮想環境における照明効果の操作を介して照明器具の構成設定を可能にするコンピュータ利用方法を実行するためのコンピュータプログラムであって、プロセッサ及び／又はコントローラ上で実行されると、
第１の仮想照明器具及び第１の仮想照明効果を含む仮想環境を提供するステップであって、前記第１の仮想照明器具は第１の生成可能照明器具を示し、前記第１の仮想照明効果は前記第１の仮想照明器具によって生成され、前記第１の生成可能照明器具によって達成可能な第１の生成可能光出力を示す、ステップと、
前記第１の仮想照明効果の少なくとも１つのパラメータを変更する仮想照明効果操作入力をユーザから受け取るステップと、
前記仮想照明効果操作入力に基づき第２の仮想照明効果を決定するステップと、
前記第２の仮想照明効果を生成可能な第２の生成可能照明器具を示す第２の仮想照明器具を特定するステップと、
前記仮想環境内で前記第２の仮想照明器具を前記ユーザに提供するステップと
を実行する、コンピュータプログラムであり、
前記第２の仮想照明効果は、前記第１の生成可能照明器具によって生成される第１の生成可能光出力を達成可能であり、且つ、前記第２の生成可能照明器具によっては達成可能であるが、前記第１の生成可能照明器具によっては達成できない第２の生成可能光出力を示す、コンピュータプログラム。
【請求項１１】
仮想環境における照明効果の操作を介して照明器具の構成設定を可能にするコンピュータ利用方法を実行するためのコンピュータプログラムであって、プロセッサ及び／又はコントローラ上で実行されると、
第１の仮想照明器具及び第１の仮想照明効果を含む仮想環境を提供するステップであって、前記第１の仮想照明器具は第１の生成可能照明器具を示し、前記第１の仮想照明効果は前記第１の仮想照明器具によって生成され、前記第１の生成可能照明器具によって達成可能な第１の生成可能光出力を示す、ステップと、
前記第１の仮想照明効果の少なくとも１つのパラメータを変更する仮想照明効果操作入力をユーザから受け取るステップと、
前記仮想照明効果操作入力に基づき第２の照明効果を決定するステップと、
前記第２の照明効果を生成可能な第２の生成可能照明器具を示す第２の仮想照明器具を特定するステップと、
前記仮想環境内で前記第２の仮想照明器具を前記ユーザに提供するステップと
を実行する、コンピュータプログラムであり、
前記仮想照明効果操作入力は、前記第１の仮想照明器具の寸法の変更を含み、前記第２の照明効果を決定するために、当該変更が、前記第２の照明効果を規定する、コンピュータプログラム。
【請求項１２】
前記仮想環境において前記第２の照明効果を示す第２の仮想照明効果を提供するステップを更に実行し、前記第２の仮想照明効果は、前記仮想環境において前記第２の仮想照明器具によって生成される、請求項１１に記載のコンピュータプログラム。
【請求項１３】
前記第２の照明効果は前記第１の生成可能照明器具によっては達成できないことを決定するステップを更に実行し、前記第２の仮想照明器具を特定する前記ステップは、前記第２の照明効果は前記第１の生成可能照明器具によっては達成できないという前記決定に基づく、請求項１１に記載のコンピュータプログラム。
【請求項１４】
前記仮想照明効果操作入力は、ユーザが前記仮想環境において前記第１の仮想照明器具の位置を操作することによって生成される、請求項１０又は１１に記載のコンピュータプログラム。
【請求項１５】
前記仮想照明効果操作入力は、ユーザが前記第１の仮想照明効果の寸法を直接操作することによって生成される、請求項１０又は１１に記載のコンピュータプログラム。
【請求項１６】
前記仮想照明効果操作入力は、ユーザが前記第１の仮想照明効果の前記パラメータを入力することによって生成される、請求項１０又は１１に記載のコンピュータプログラム。
【請求項１７】
前記ユーザが前記第２の生成可能照明器具を選択した後、前記第２の生成可能照明器具を発注するステップを更に実行する、請求項１０又は１１に記載のコンピュータプログラム。
【外国語明細書】
2020080316000001.pdf